(57)【特許請求の範囲】
【請求項１】
タッチパネルから行き先階を入力するエレベータのタッチパネル式行き先階登録操作盤であって、
前記タッチパネルに接触される利用者の指の前記タッチパネル上の位置を検出するタッチセンサと、
前記タッチセンサで検出される前記タッチパネルに接触された利用者の２本または２本以上の指の前記タッチパネル上の位置で規定される１つの領域の面積を計算する計算部と、
計算された前記面積が予め設定された閾値以上であれば前記利用者を視覚障がい者と判断して利用者情報として出力する利用者判定部と、
前記タッチセンサで検出される前記タッチパネルに接触した利用者の接触時間が誤操作を考慮した所定時間を経過したことで有効な接触を判定する座標入力部と、
を備え、
前記座標入力部で有効な接触と判定された後の、前記タッチセンサで検出される利用者の指の位置で規定される１つの領域に従って、
前記計算部が前記領域の面積を計算し、前記利用者判定部が計算された面積に従って視覚障がい者を判断する、
エレベータのタッチパネル式行き先階登録操作盤。
【請求項２】
前記タッチパネルが、行き先階を入力する操作有効範囲を含み、
前記計算部が、前記２本または２本以上の指で規定される領域の中心位置と予め記憶された前記操作有効範囲の中心位置との距離を求め、
前記利用者判定部が、求めた前記距離が予め設定された閾値以上の場合に前記利用者を視覚障がい者と判断する、
請求項１に記載のエレベータのタッチパネル式行き先階登録操作盤。
【請求項３】
前記タッチパネルが行き先階を入力する操作有効範囲を含み、
前記計算部が、前記２本または２本以上の指の位置が、予め設定された前記操作有効範囲の位置内にあるか否かを求め、
前記利用者判定部が、前記２本または２本以上の指の位置が前記操作有効範囲外の時に、アナウンス装置に前記２本または２本以上の指の位置に対する前記操作有効範囲の位置を案内する音声メッセージを発生させる制御を行う、
請求項１または２に記載のエレベータのタッチパネル式行き先階登録操作盤。
【請求項４】
前記タッチセンサが、前記２本または２本以上の指の前記タッチパネル上の位置を前記タッチパネル上のＸＹ座標として検出する、請求項１から３までのいずれか１項に記載のエレベータのタッチパネル式行き先階登録操作盤。
【請求項５】
タッチパネルから行き先階を入力するエレベータのタッチパネル式行き先階登録操作盤において、
タッチセンサで検出されるタッチパネルに接触した利用者の接触時間が誤操作を考慮した所定時間を経過したことで有効な接触と判定された後の、
タッチセンサで検出される、前記タッチパネルに接触される利用者の２本または２本以上の指の前記タッチパネル上の位置で規定される１つの領域の面積が、予め設定された閾値以上であれば前記利用者を視覚障がい者と判断して利用者情報として出力するエレベータのタッチパネル式行き先階登録操作盤における利用者判定方法。
【発明の詳細な説明】
【技術分野】
【０００１】
この発明は、エレベータのタッチパネル式行き先階登録操作盤システム等に関するものである。
【背景技術】
【０００２】
従来、エレベータのタッチパネル式行き先階登録操作盤を操作している利用者が視覚障がい者であることを判断する方法として、タッチパネル部分に接触している指の接触面積(人をアースと考えれば接地面積)を検出してその面積から視覚障がい者であることを判断する方法が提案されている(下記特許文献１参照)。
図１０は、タッチパネル１に３本の指が接触した状態を示す。指の接触状態２の面積１−３は、各指の接触部分の面積である。面積を求めるために、各接触部分ごとに複数の座標情報を入力して面積を求め、その面積を合計(面積１＋面積２＋面積３)して判断するものである。
【０００３】
また、圧力センサを設置して接触した圧力を判断して視覚障がい者であることを判断する方法も提案されている(下記特許文献２参照)。
さらに、タッチパネル部分の表面を人体の指でなぞって操作した座標位置を信号として検出し、検出された信号を操作パターンとして判定及び記録し、操作パターンに対応してエレベータ戸の開閉に関する操作指令をおこなう方法も提案されている(下記特許文献３参照)。
【先行技術文献】
【特許文献】
【０００４】
【特許文献１】特開２００６−５６７００号公報
【特許文献２】特開２０１２−５６７２０号公報
【特許文献３】特開２０１０−１６３２４９号公報
【発明の概要】
【発明が解決しようとする課題】
【０００５】
従来の接触している指の接触面積を検出して視覚障がい者を判断する方法の場合、視覚障がい者の判断の際、接触している部分のそれぞれについて面積を求めるため、図１０において、タッチパネル１の指の接触状態２の面積１に関する複数の座標情報を入力して面積を求め、接触している全ての面積１−３を求めた後、面積を合計(面積１＋面積２＋面積３)して、その面積が閾値以上であると、視覚障がい者が触っていると判断している。
このため、個々に接触部分の面積を求めるために、個々に接触している形状が判断できるまで複数の座標情報を入力しなければならず、さらに接触部分の形状が複雑な形状であると、面積の計算が複雑になり、１つの接触面の面積を計算するだけでも時間を要している。また、接触している形状毎にそれぞれ面積を求めて、全ての面積を合計してその値から視覚障がい者を判断するため、接触形状が複雑であったり、接触数が多いと判断までに時間を要している。
特に、健常者の操作の場合は、１本の指の場合であっても接触面積の計算は行われるため、その計算のためにエレベータの動作が遅れ、使い勝手がよいとはいえない。
【０００６】
この発明は、上記の課題を解決するためになされたものであり、センサ等を追加することなく、タッチパネルに触れた状態から容易に、短時間で視覚障がい者による操作であるか否かを判断するエレベータのタッチパネル式行き先階登録操作盤等を提供することを目的とする。
【課題を解決するための手段】
【０００７】
この発明は、タッチパネルから行き先階を入力するエレベータのタッチパネル式行き先階登録操作盤であって、前記タッチパネルに接触される利用者の指の前記タッチパネル上の位置を検出するタッチセンサと、前記タッチセンサで検出される前記タッチパネルに接触された利用者の２本または２本以上の指の前記タッチパネル上の位置で規定される１つの領域の面積を計算する計算部と、計算された前記面積が予め設定された閾値以上であれば前記利用者を視覚障がい者と判断して利用者情報として出力する利用者判定部と、前記タッチセンサで検出される前記タッチパネルに接触した利用者の接触時間が誤操作を考慮した所定時間を経過したことで有効な接触を判定する座標入力部と、を備え、前記座標入力部で有効な接触と判定された後の、前記タッチセンサで検出される利用者の指の位置で規定される１つの領域に従って、前記計算部が前記領域の面積を計算し、前記利用者判定部が計算された面積に従って視覚障がい者を判断する、エレベータのタッチパネル式行き先階登録操作盤等にある。
【発明の効果】
【０００８】
この発明では、センサ等を追加することなく、タッチパネルに触れた状態から容易に、短時間で視覚障がい者による操作であるか否かを判断するエレベータのタッチパネル式行き先階登録操作盤等を提供できる。
【図面の簡単な説明】
【０００９】
【図１】この発明によるエレベータのタッチパネル式行き先階登録操作盤を含むエレベータ制御システムの構成の一例を示す図である。
【図２】この発明によるタッチパネル式行き先階登録操作盤におけるタイマー割り込みメインルーチンフローとハードウェア(Ｈ／Ｗ)割り込みルーチンフローの動作フローチャートである。
【図３】この発明によるタッチパネル式行き先階登録操作盤における座標入力処理のフローの動作フローチャートである。
【図４】この発明の実施の形態１によるタッチパネル式行き先階登録操作盤を含むエレベータ制御システムにおけるタッチパネルの利用者判断の基本フローを含む動作フローチャートである。
【図５】この発明によるタッチパネル式行き先階登録操作盤における指の接触部分が形成する領域の面積計算のフローを含む動作フローチャートである。
【図６】この発明によるタッチパネル式行き先階登録操作盤における指の接触部分が形成する領域の面積の計算を説明するための図である。
【図７】この発明の実施の形態２によるタッチパネル式行き先階登録操作盤におけるタッチパネルの操作有効範囲外に指が接触している場合を説明するための図である。
【図８】この発明の実施の形態２によるタッチパネル式行き先階登録操作盤を含むエレベータ制御システムにおけるタッチパネルの利用者判断の基本フローを含む動作フローチャートである。
【図９】この発明の実施の形態２によるタッチパネル式行き先階登録操作盤におけるタッチパネルの操作有効範囲内の一部に指が接触している場合を説明するために図である。
【図１０】従来のエレベータのタッチパネル式行き先階登録操作盤を操作している利用者が視覚障がい者であることを判断する方法を説明するための図である。
【発明を実施するための形態】
【００１０】
以下、この発明によるエレベータのタッチパネル式行き先階登録操作盤等を各実施の形態に従って図面を用いて説明する。なお、各実施の形態において、同一もしくは相当部分は同一符号で示し、重複する説明は省略する。
【００１１】
実施の形態１．
図１はこの発明によるエレベータのタッチパネル式行き先階登録操作盤を含むエレベータ制御システムの構成の一例を示す図である。図１において、タッチパネル式行き先階登録操作盤システムは、各乗場やかごの内に設けられたタッチパネル式行き先階登録操作盤１１、それぞれのカゴ３２の運転制御を行う少なくとも１つの各かご制御装置３０、タッチパネル式行き先階登録操作盤１１での行き先階登録に従ってそれぞれの各かご制御装置３０によりカゴ３２の群管理を行う群管理制御装置２０を含む。
【００１２】
そしてタッチパネル式行き先階登録操作盤１１は、利用者のタッチパネル(例えば図６，７，９の符号１参照)へのタッチ(操作)を検出するタッチセンサ１２、タッチセンサ１２で検出された操作に従った行き先階登録制御を行う制御部１７と、制御部１７の制御により音声等で案内を行うアナウンス装置１８を備える。またコンピュータ等からなる制御部１７は、座標入力部１３、座標記憶部１４、面積計算部１５、利用者判断部１６を含む。また、各かご制御装置３０は、カゴ３２とこのカゴ３２の運転制御を行うコンピュータを含む号機制御部３１を含み、群管理制御装置２０はコンピュータを含む割当号機決定部２１を備える。
【００１３】
また図２、図３はこの発明によるタッチパネル式行き先階登録操作盤における動作フローチャートを示す。図２はタイマー割り込みメインルーチンフローとハードウェア(Ｈ／Ｗ)割り込みルーチンフロー、図３は座標入力処理のフローを示す。なお、ソフトウェア(Ｓ／Ｗ)の内部処理で使用するフラグ等は文中で「」書きで表す。
【００１４】
図２の(ａ)のタイマー割り込みメインルーチンフローにおいて、座標入力処理(ステップＳ３１)とタッチパネルの操作検出と利用者判断処理(ステップＳ３２)がおこなわれる。タイマー割り込みは所定の(予め定められた)時間(例えば、１ｍｓ)毎に定期的に処理される。
図２の(ｂ)のＨ／Ｗ割り込みルーチン処理は、タッチセンサ１２からの入力で割り込むように、操作盤１１の基板の回路が構成されている。この割り込み処理では、タイマー割り込みメインルーチン処理で参照する「タッチセンサ検出フラグ」をセット(ステップＳ３３)する。
【００１５】
図３の座標入力処理のフローで、タッチセンサ１２を備えたタッチパネルの接触判断処理について説明する。座標入力部１３が「タッチセンサ検出フラグ」を参照して、タッチセンサ１２がタッチパネルへの接触を検出した場合は(ステップＳ４１)、ステップＳ４２へ進む。誤動作等を考慮して、予め定められた所定時間の間検出したかを判断し、所定時間(例えば、１ｓｅｃ以上)経過するまでは「所定時間検出カウンタ」を加算(インクリメント)する(ステップＳ５２)。
【００１６】
ここでは、操作盤１１の基板の回路構成によるタッチセンサ１２からの検出信号による割り込み処理で「タッチセンサ検出フラグ」が制御部１７の記憶部(特に図示せず、また後述する座標記憶部１４と兼用としてもよい)にセットされ、この「タッチセンサ検出フラグ」を座標入力部１３が所定時間継続することを監視して、タッチパネルへの有効な接触と判定している。
しかしながら、座標入力部１３で直接、タッチセンサ１２からの信号の入力を検出し、「タッチセンサ検出フラグ」をセットし、監視するようにしてもよい。
【００１７】
所定時間経過した場合はステップＳ４３へ進み、座標入力部１３はタッチセンサ１２からの検出信号に従った座標情報を座標記憶部１４へ記憶する。複数の座標を入力するため、ステップＳ４４で座標記憶部１４での次に記憶するための「記憶位置」を決める。ステップＳ４５では、「座標入力したことを表すフラグ」をセットする。
【００１８】
さらに例えばステップＳ４６に示すように、「複数確認カウンタ」により、タッチパネルへの複数の接触のそれぞれの時間のずれをカウントし、複数の指を接触した場合の判断を行うようにしてもよい。
【００１９】
「複数確認カウンタ」が所定値(例えば、１.５ｓｅｃ)以下でない場合は、同時に接触したとはみなさないようにし、ステップＳ４８〜Ｓ５１でステップＳ５２、Ｓ４１、Ｓ４６、Ｓ４４での「所定時間検出カウンタ」、「タッチセンサ検出」、「複数確認カウンタ」、「記憶位置」からなる各カウンタやフラグをクリアする。
なおここで、「所定時間検出カウンタ」、「複数確認カウンタ」は最初に、指を接触してからカウントを開始させる。
【００２０】
タッチパネル上に指を順番に接触させた場合は、「複数確認カウンタ」でチェックして、同時とみなされる所定時間内に接触した指の座標のみを入力とすることで、同時とはみなされない、すなわちここでは所定時間内に接触していない座標は入力されないようにする。これにより複数回操作の排除を可能としている。
【００２１】
また、通常、指をずっと同じ位置に固定するような使用はしないため、指をスライドさせた場合は、「所定時間検出カウンタ」でチェックして、所定時間以内に指が離れなければ、「所定時間検出カウンタ」が満了するまでのスライド量は許容されるため、判断漏れを防ぐことが可能となる。
【００２２】
なお、上記説明では図３にも示すように、ステップＳ４２で「所定時間検出カウンタ」で所定時間をカウント後、ステップＳ４３で座標情報を記憶している。しかしながら、上記「複数確認カウンタ」による複数の指を接触した場合の判断を行う場合には、座標入力部１３は、上記「所定時間検出カウンタ」のカウント開始時であるステップＳ４１に当たる、最初に指が接触してからのタッチセンサ１２からの座標を示す信号を順に制御部１７の記憶部に記憶するようにしておく必要がある。そこでこの場合には、座標入力部１３で直接、タッチセンサ１２からの信号の入力を検出し、「タッチセンサ検出フラグ」をセットし、監視するようにしておく方がよい。
【００２３】
なお、タッチセンサ１２は、タッチパネルの接触面上の各接触位置を示す信号を出力する。ここでは、接触面のＸＹ座標上の各接触位置のＸＹ座標を示す信号を出力するものとする。
【００２４】
図４はこの発明の実施の形態１によるタッチパネル式行き先階登録操作盤を含むエレベータ制御システムにおけるタッチパネルの利用者判断の基本フローを含む動作フローチャートである。図４のステップＳ１で、利用者判定部１６は、座標入力されたかを判断し、座標入力された場合は、ステップＳ２においてステップＳ４５でセットした「座標入力したことを表すフラグ」をクリアし、ステップＳ３へ進み、面積計算部１５で接触部分が形成する領域(図形)の面積を求める。
【００２５】
図５はこの発明によるタッチパネル式行き先階登録操作盤における指の接触部分が形成する領域の面積計算のフローを含む動作フローチャートである。面積は、図５のフローで求める。ステップＳ１１において、面積計算部１５は、座標記憶部１４の各接触点の座標情報を参照し、タッチパネルに触れた箇所を特定する。ステップＳ１２において、各接触点の各座標の中からＸ座標の最大、最小、Ｙ座標の最大、最小の座標を求め、ステップＳ１３において、ステップＳ１２の各接触点の座標情報と各点の数から指の接触部分が形成する領域(図形)、の面積を計算する。
【００２６】
図６はこの発明によるタッチパネル式行き先階登録操作盤における指の接触部分が形成する領域(図形)の面積の計算を説明するための図である。例えば、３本の指が接触した状態２の各座標が、点Ａ(２，５)、点Ｂ(１，２)、点Ｃ(４，２)だとすると、Ｘ座標の最大は点Ｃ、最小は点Ｂ、Ｙ座標の最大は点Ａ、最小は点Ｂ、点Ｃとなる。これらから接触部分が形成する領域(図形)３の面積は、面積＝(４−１)×(５−２)÷２＝４.５となる。
すなわち３本の指が接触した場合、３つの接触点のＸＹ座標の、Ｘ軸とＹ軸のそれぞれの軸での最大値と最小値の差同士の積の２分の１の面積、換言すると、各接触点をそれぞれに結んだ直線で囲まれる領域の面積となる。
なお、接触する指の本数は３本以上でもよく、この場合例えば、各接触点をそれぞれに結んだ直線のうちの外周の直線で囲まれる領域の面積とする。
【００２７】
次に図４のフローのステップＳ４へ進み、利用者判定部１６は、ステップＳ３で求めた面積と予め定めた閾値を比較する。閾値は、予め複数(ここでは３本)の指で触れた場合に形成される形状の面積や手のひらで触れている場合の面積の値を求め、制御部１７の記憶部(特に図示せず、また座標記憶部１４と兼用としてもよい)に記憶しておく。面積がそれぞれの閾値以上の場合は、例えば３本または３本以上の指で触れている、または手のひらで触れていると判断し、視覚障がい者が操作していると判断する。閾値未満の場合は、例えば２本以下の指で操作していると判断し、健常者が操作していると判断する。
【００２８】
視覚障がい者と判断した場合にはステップＳ５、健常者と判断した場合にはステップＳ６へ進み、群管理制御装置２０へ利用者情報(視覚障がい者または健常者)をタッチパネル１で入力された行き先階情報と共に送信する(ステップＳ５，Ｓ６)。これによりステップＳ７へ進み、群管理制御装置２０の割当号機決定部２１で利用者に応じた号機を割り当てる。すなわち割当号機決定部２１が操作盤１１の操作から得られた各行き先階情報に対して、割当号機決定部２１で行っている群管理制御の規則、複数の各かご制御装置３０のそれぞれのカゴ３２の運転状況、そして操作盤１１の操作から得られた上述の利用者情報および行き先階情報、に従って、適当な各かご制御装置３０を割当てる。そしてステップＳ８へ進み、該当する各かご制御装置３０の号機制御部３１で、利用者(利用者情報および行き先階情報)に応じた制御をカゴ３２に対しておこなう。また、利用者判定部１６がステップＳ５で視覚障がい者が操作していると判断し、利用者情報が視覚障がい者である場合は、ステップＳ９でタッチパネル式行き先階登録操作盤１１のアナウンス装置１８を制御して、アナウンスを発生させるようにしてもよい。例えば視覚障がい者が行った操作による行き先階登録結果のアナウンス、例えば「５階行きの行き先階登録が完了しました」等を発生させる。
【００２９】
実施の形態２．
以下、この発明の実施の形態２によるタッチパネル式行き先階登録操作盤について説明する。
図７はこの発明の実施の形態２によるタッチパネル式行き先階登録操作盤におけるタッチパネルの操作有効範囲外に指が接触している場合を説明するための図である。タッチパネル１に触れて機能が有効になる操作有効範囲を操作有効範囲４のように予め設定(座標で判断可能な設定)している場合を考える。すなわち、その操作有効範囲４内に１０キー(テンキー)釦５が配置されている。１０キー釦５は釦が直線的に一列に配列された行き先釦でもよい。
なお、図７等に示されているタッチパネル１は図示されている全面が接触面であり、タッチセンサ１２により接触検出可能領域となっており、この接触検出可能領域のうちの１０キー釦５を含む部分が操作有効範囲となる。
【００３０】
図５のステップＳ１４で、面積計算部１５は、制御部１７の記憶部に予め格納されている操作有効範囲４のＸＹ座標に基づき、ステップＳ１３での指の接触点の位置の座標が操作有効範囲４の内か外かを判断し、それぞれ操作有効範囲外(ステップＳ１５)、または操作有効範囲内(ステップＳ１６)として制御部１７の記憶部に記憶する。
【００３１】
図８はこの発明の実施の形態２によるタッチパネル式行き先階登録操作盤を含むエレベータ制御システムにおけるタッチパネルの利用者判断の基本フローを含む動作フローチャートである。図４の実施の形態１での動作フローチャートに対して、破線で囲われた操作有効範囲の内外に接触した場合の処理が追加されている。
【００３２】
利用者判断部１６は、利用者が視覚障がい者か健常者かの判断は、実施の形態１と同様に図８のステップＳ１−Ｓ６に従って判断し、視覚障がい者の場合、ステップＳ５の後、ステップＳ２０において、利用者の接触が操作有効範囲４の内か外かを図５のステップＳ１５、Ｓ１６で記憶された情報から判断する。図７に示すような、利用者の接触が操作有効範囲外と判断した場合にはステップＳ２１へ進む。タッチパネル１の操作有効範囲４外に接触している場合は、利用者判断部１６は、ステップＳ２１において、アナウンス装置１８を制御して、例えば、「もう少し、手を下に移動してください」等と、現在の指の接触位置に対する操作有効範囲４の位置、位置の方向を案内する音声メッセージを発生させる。
この際、利用者判断部１６は現在の指の接触位置の座標と記憶部に格納された操作有効範囲４のＸＹ座標から双方の位置関係を判断し、現在の指の接触位置に対する操作有効範囲４の位置の位置情報、または方向情報をアナウンス装置１８に提供する。
【００３３】
図９はこの発明の実施の形態２によるタッチパネル式行き先階登録操作盤におけるタッチパネルの操作有効範囲内の一部に指が接触している場合を説明するために図である。図９では、タッチパネル１の操作有効範囲４の一部に指が接触しており、１０キー釦５の「３」に指が触れている場合の図である。
【００３４】
図５のステップＳ１４で、面積計算部１５は、ステップＳ１３での指の接触点の位置の座標が操作有効範囲４の内か外かを判断し、図９で示すようにタッチパネル１の操作有効範囲４の一部に指が接触している場合にはステップＳ１６へ進み、操作有効範囲内として記憶する。
【００３５】
利用者判断部１６は、利用者が視覚障がい者か健常者かの判断は、実施の形態１と同様に図８のステップＳ１−Ｓ６に従って判断する。但し視覚障がい者の場合、ステップＳ５では、タッチパネル１で入力された行き先階はまだ確定されておらず送信されない。視覚障がい者の場合、ステップＳ５の後、ステップＳ２０において、利用者の接触が操作有効範囲４の内か外かを図５のステップＳ１５、Ｓ１６で記憶された情報から判断する。図９に示すような、利用者の接触がタッチパネル１の操作有効範囲４の一部に接触している場合には、操作有効範囲内と判断しステップＳ２２へ進む。タッチパネル１の操作有効範囲４内に接触している場合は、利用者判断部１６は、ステップＳ２２において、操作有効範囲内の接触(入力)を無効にする。図９の場合は、１０キー釦５の「３」が押されていないとして処置する。利用者が視覚障がい者と判断した場合は、改めて所定の手続きをしないと操作有効範囲４内の接触を無効にする処置をすることで、１０キー釦５の誤入力を防止することが可能になる。
上記改めて所定の手続きとは、例えばステップＳ２１でアナウンス装置１８の案内に従って、１０キー釦５の行き先階を指定する複数のキーのうちの１つのキーに指が接触して指定された時を示す。
【００３６】
なお上記説明より、この発明におけるタッチパネル１(タッチセンサ１２)の接触面積から健常者と視覚障がい者の判定を行う際には、指が３本の場合には、タッチパネルに接触される利用者の３本の指のタッチパネル上の接触点で囲まれる三角形の面積と予め設定された閾値との比較で行っている。そして面積はタッチパネル上の接触点の例えばＸＹ座標上の位置の座標から求めている。
【００３７】
また、指が４本または４本以上の場合は、タッチパネルに接触される各接触点をそれぞれに結んだ直線のうちの外周の直線で囲まれる領域の面積を、同様に各接触点のＸＹ座標上の位置の座標から求めている。
【００３８】
しかしながら指の本数が増えると接触点で囲まれる領域の形状は複雑になり、面積の算出が煩雑になる。そこで面積の演算を簡略化するために、３つまたは３つ以上の接触点のＸＹ座標上の、Ｘ軸とＹ軸のそれぞれの軸での最大値と最小値の差同士の積を、より広義に３つまたは３つ以上の接触点でＸＹ座標上に規定(定義)される１つの領域の面積としてもよい。
【００３９】
さらにこれは２本の指の場合にも拡張可能であり、２つの接触点のＸＹ座標上の、Ｘ軸とＹ軸のそれぞれの軸での差同士の積を、２つの接触点でＸＹ座標上に規定(定義)される１つの領域の面積としてもよい。
【００４０】
さらに、タッチパネル１(タッチセンサ１２)への接触面積から健常者と視覚障がい者の判定を行うことに拡張すれば、タッチパネル上の指および手のひらの接触部のＸＹ座標上の、Ｘ軸とＹ軸のそれぞれの軸での最大値と最小値の差同士の積を、より広義に接触部分によりＸＹ座標上に規定(定義)される１つの接触領域の面積としてもよい。なお、閾値はそれぞれ想定される接触状況を考慮して記憶部に予め設定、格納しておく。
【００４１】
また、健常者が同時に指を２本以上接触させないことを前提とする場合、図７，９に示すタッチパネル１の操作有効範囲４内の１０キー５の各ボタン領域の面積を、指１本の面積程度のものとしておくことが有効である。
【００４２】
またさらに、上記タッチパネル１上の指または指と手のひらの接触部の領域の中心位置を領域のＸＹ座標上の、Ｘ軸とＹ軸のそれぞれの中心座標として求め、求めた中心位置と上記のタッチパネル１の操作有効範囲４の中心位置との距離を予め設定された閾値と比較して(操作有効範囲４の中心位置座標と閾値は共に予め記憶部に格納しておく)、閾値以上であれば視覚障がい者と判断するようにしてもよい。なおこの場合には、面積計算部１５が距離計算部も構成する。そこで面積計算部１は単に計算部とする(以下同様)。判断は利用者判定部１６で行う。
【００４３】
さらにまた、健常者に比べて視覚障がい者はタッチパネル１への接触時間が長いことから、上記タッチパネル１上への指または指と手のひらの接触部の接触時間をカウントし、予め記憶部に設定、格納された閾値と比較して、閾値以上であれば視覚障がい者と判断するようにしてもよい。なおこの場合には、面積計算部１５が時間計算部も構成する。判断は利用者判定部１６で行う。
【００４４】
なお、上述の接触領域の中心位置とタッチパネル１の操作有効範囲４の中心位置との距離に基づく視覚障がい者の判定、およびタッチパネル１(タッチセンサ１２)への接触時間に基づく視覚障がい者の判定、はタッチパネル１上への接触が指が２本の場合に特に有効である。接触が指が２本の場合には、接触領域の中心位置を２つの接触点の中心点としてもよい。
【００４５】
なおこの発明は、上述した各健常者か視覚障がい者かの判断の可能な組み合わせを全て含み、組み合わせた判断の例えばアンド条件またはオア条件による判断、優先順位を付けた判断、により最終的に判断するようにしてもよい。
【符号の説明】
【００４６】
１  タッチパネル、３  領域、４  操作有効範囲、５  １０キー釦、１１  エレベータのタッチパネル式行き先階登録操作盤、１２  タッチセンサ、１３  座標入力部、１４  座標記憶部、１５  面積計算部、１６  利用者判断部、１７  制御部、１８  アナウンス装置、２０  群管理制御装置、２１  割当号機決定部、３０  各かご制御装置、３１  号機制御部、３２  カゴ。
【図１】
0006385173.tif 000002
【図２】
0006385173.tif 000003
【図３】
0006385173.tif 000004
【図４】
0006385173.tif 000005
【図５】
0006385173.tif 000006
【図６】
0006385173.tif 000007
【図７】
0006385173.tif 000008
【図８】
0006385173.tif 000009
【図９】
0006385173.tif 000010
【図１０】
0006385173.tif 000011